(57)【要約】      （修正有）【課題】吸音・遮音、振動吸収・軽減、及び緩衝の機能を有する振動吸収遮音パッドの構造を提供する。【解決手段】低硬度の第１の発泡体Ｌ１から構成される吸音層１と、上から下へ順に高硬度の第２の発泡体Ｌ２、高弾力の第３の発泡体Ｌ３、及び高硬度の第４の発泡体Ｌ４から構成される振動吸収サブレイヤ２０を少なくとも含む振動吸収層２と、高硬度の第５の発泡体Ｌ５及び第５の発泡体の底部に固定され互いに離間される複数の緩衝ユニットＭ１から構成される緩衝層３とが上から下へ順に積層され、湾曲可能な構造であるパッド本体１００からなる。【選択図】図１
0003202606.tif 000002
【実用新案登録請求の範囲】
【請求項１】
低硬度の第１の発泡体から構成される吸音層と、
上から下へ順に高硬度の第２の発泡体、高弾力の第３の発泡体、及び高硬度の第４の発泡体から構成される振動吸収サブレイヤを少なくとも含む振動吸収層と、
高硬度の第５の発泡体及び前記第５の発泡体の底部に固定され互いに離間される複数の緩衝ユニットから構成される緩衝層と、
が上から下へ順に積層された湾曲可能な構造であるパッド本体からなることを特徴とする振動吸収遮音パッドの構造。
【請求項２】
前記振動吸収層は、上から下へ順に高硬度の第６の発泡体、高弾力の第７の発泡体、及び高硬度の第８の発泡体で構成され、前記振動吸収サブレイヤと互いに積層して設置される別の振動吸収サブレイヤを更に備えることを特徴とする請求項１に記載の振動吸収遮音パッドの構造。
【請求項３】
前記パッド本体は、低硬度の第９の発泡体で構成され、前記吸音層と共同で前記振動吸収層及び前記緩衝層に被覆される着脱可能な袋体構造を構成する底部吸音層を更に備えることを特徴とする請求項２に記載の振動吸収遮音パッドの構造。
【請求項４】
前記パッド本体は、前記緩衝層の底部に位置し、吸音繊維布又はサンドイッチメッシュ布で構成される底部吸音層を更に備えることを特徴とする請求項２に記載の振動吸収遮音パッドの構造。
【請求項５】
前記パッド本体は、前記底部吸音層の底部に位置し、滑り止めのゴム又は発泡材で構成される保護層を更に備えることを特徴とする請求項３に記載の振動吸収遮音パッドの構造。
【請求項６】
前記第２の発泡体及び前記第４の発泡体の硬度範囲がそれぞれ６０度から９０度にあり、前記第２の発泡体と前記第４の発泡体は、硬度が前記第３の発泡体の硬度よりも大きく、それぞれ複数の貫通孔が形成されていることを特徴とする請求項１に記載の振動吸収遮音パッドの構造。
【請求項７】
前記第３の発泡体は高温発泡成型の記憶型の弾性ラテックスであることを特徴とする請求項１に記載の振動吸収遮音パッドの構造。
【請求項８】
前記複数の緩衝ユニットは、外輪郭がそれぞれ突出形状の立体構造であり、共同で曲面形状の立体構造が構成されることを特徴とする請求項１に記載の振動吸収遮音パッドの構造。
【請求項９】
前記複数の緩衝ユニットはそれぞれ緩衝エアバッグであることを特徴とする請求項８に記載の振動吸収遮音パッドの構造。
【請求項１０】
前記複数の緩衝ユニットは連通路により互いに連通されていることを特徴とする請求項９に記載の振動吸収遮音パッドの構造。
【請求項１１】
前記複数の緩衝ユニット及び前記連通路は、ガスが流し込まれる吸気通路と更に連通されていることを特徴とする請求項１０に記載の振動吸収遮音パッドの構造。
【請求項１２】
前記複数の緩衝ユニットが前記第５の発泡体の底部に一体的に成形されることを特徴とする請求項８に記載の振動吸収遮音パッドの構造。
【請求項１３】
前記複数の緩衝ユニットが前記第５の発泡体の底部に粘着されることを特徴とする請求項８に記載の振動吸収遮音パッドの構造。
【請求項１４】
前記複数の緩衝ユニットの内部にそれぞれ充填物が詰められていることを特徴とする請求項１３に記載の振動吸収遮音パッドの構造。
【請求項１５】
前記充填物は発泡綿又はシリカであることを特徴とする請求項１４に記載の振動吸収遮音パッドの構造。
【請求項１６】
別のパッド本体と分離可能に相互に組み付けられるパッド本体を更に備えることを特徴とする請求項１に記載の振動吸収遮音パッドの構造。
【考案の詳細な説明】
【技術分野】
【０００１】
本考案は保護パッドの構造に関し、特に吸音・遮音、振動吸収・軽減、及び緩衝の機能を有する振動吸収遮音パッドの構造に関する。
【背景技術】
【０００２】
現在、既存の足踏みパッド、例えばテレビゲーム（ＴＶ  ＧＡＭＥ）遊び用の足踏みパッド、または家庭用の子供向け衝突防止又は転倒防止の足踏みパッドは、通常、軟らかすぎたり固すぎたりする問題があり、足裏から衝撃を与える時に大きく凹み、または激しい振動と騒音を生じやすいことで、既存の足踏みパッドは、吸音・遮音、振動吸収・軽減、及び緩衝の特性を同時に兼備することができない。
【考案の概要】
【考案が解決しようとする課題】
【０００３】
本考案は、吸音・遮音、振動吸収・軽減、及び緩衝の機能を有する振動吸収遮音パッドの構造を提供することを主な目的とする。
【課題を解決するための手段】
【０００４】
以上に述べられたことを達成するために、本考案は、低硬度の第１の発泡体から構成される吸音層と、上から下へ順に高硬度の第２の発泡体、高弾力の第３の発泡体、及び高硬度の第４の発泡体から構成される振動吸収サブレイヤを少なくとも含む振動吸収層と、高硬度の第５の発泡体及び前記第５の発泡体の底部に固定され互いに離間される複数の緩衝ユニットから構成される緩衝層とが上から下へ順に積層された湾曲可能な構造であるパッド本体からなる振動吸収遮音パッドの構造が提供される。
【考案の効果】
【０００５】
本考案が提供する振動吸収遮音パッドの構造は、吸音層、振動吸収層、及び緩衝層が積層して設置されることにより、吸音、振動吸収、及び緩衝の効果を達成する。そして、吸音層が軟質の発泡材から構成され得ることにより、足裏からパッド本体の表層に衝撃を与える時に発生した騒音を低減できる。また、振動吸収層は、三つの発泡体が上から下へ順に積層して設置され、二つの高硬度の発泡体が高弾性の発泡体を挟んでサンドイッチ構造を形成できる振動吸収サブレイヤを少なくとも含むことにより、床の硬度を模擬して、足裏で踏み込まれる場合に柔らかすぎる気がしないと同時に、振動軽減と衝撃音低減の効果を達成することができる。また、振動吸収層は別の振動吸収サブレイヤが更に含まれ、又はより多くの振動吸収サブレイヤが繰り返して積層されることができることにより、衝撃力を層ごとに吸収し均一に分散させ、振動軽減と衝撃音低減の効果を達成する。なお、緩衝層は高硬度の発泡体と前記発泡体の底部に固定され互いに離間される複数の緩衝ユニットから構成され得ることにより、前記発泡体が上からの衝撃を受ける場合、これらの緩衝ユニットを押圧して、それらを一旦圧縮して変形させ、衝撃力を緩衝し分散させ、パッド本体による緩衝及び吸音の効果をさらに向上できる。
【図面の簡単な説明】
【０００６】
【図１】本考案の振動吸収遮音パッドの構造に係る第１の実施例の概略断面図である。
【図２】本考案の振動吸収遮音パッドの構造に係る第２の実施例の概略断面図である。
【図３】本考案の振動吸収遮音パッドの構造に係る第３の実施例の概略断面図である。
【図４】本考案の振動吸収遮音パッドの構造に係る第４の実施例の概略断面図である。
【図５】本考案の振動吸収遮音パッドの構造に係る第５の実施例の概略断面図である。
【図６】本考案の振動吸収遮音パッドの構造に係る第６の実施例の概略断面図である。
【図７】本考案の振動吸収遮音パッドの構造に係る第７の実施例の概略断面図である。
【図８】本考案の振動吸収遮音パッドの構造に係る第８の実施例の概略断面図である。
【図９Ａ】本考案の振動吸収遮音パッドの構造に係る第９の実施例の概略斜視図である。
【図９Ｂ】本考案の振動吸収遮音パッドの構造に係る第９の実施例の収容状態の概略図である。
【図１０Ａ】本考案の振動吸収遮音パッドの構造に係る第１０の実施例の概略斜視図である。
【図１０Ｂ】本考案の振動吸収遮音パッドの構造に係る第１０の実施例の収容状態の概略図である。
【考案を実施するための形態】
【０００７】
本考案の特徴及び技術内容がより一層分かるように、本考案は実施例と添付の図面に合わせて以下のように詳説し、当業者が本明細書に開示される内容から本考案の他のメリットと効果が容易に分かる。本考案は他の異なる具体的実施例により実施又は応用されることも可能であり、本明細書中の各項の詳細は異なる観点と応用に基づき、本考案の精神を逸脱しない範囲で種々の修飾と変更を行うこともできる。また、本考案の図面は簡単な説明に過ぎず、実際のサイズに従い描画されたものではなく、即ち関連構成の実際のサイズが反映されていないことをまず明らかにしておく。以下の実施の形態は本考案の観点をより詳しく説明するが、いずれの観点でも本考案の範囲を限定しない。
（第１の実施例）
【０００８】
図１を参照すること。図１は本考案の振動吸収遮音パッドの構造に係る第１の実施例の概略断面図である。
【０００９】
本実施例の振動吸収遮音パッドの構造は、湾曲可能な構造であり、また複合多層構造であるパッド本体１００を備える。さらには、パッド本体１００は、吸音層１、振動吸収層２、及び緩衝層３が上から下へ順に積層されている。層と層の結合は貼合せ、接合、熱圧着等の方法を用い得るが、これらに限定されない。
【００１０】
吸音層１は第１の発泡体Ｌ１で構成される。本実施例では、第１の発泡体Ｌ１は低硬度の発泡体であり、言い換えれば、軟質の発泡材、例えば足裏でパッド本体１００の表層に衝撃を与える時に発生した騒音を軽減するための発泡綿である。
【００１１】
振動吸収層２は、上から下へ順に第２の発泡体Ｌ２、第３の発泡体Ｌ３、及び第４の発泡体Ｌ４で構成される振動吸収サブレイヤ２０を備える。第２の発泡体Ｌ２及び第４の発泡体Ｌ４は、それぞれエチレン／醋酸エチレン共重合体（Ｅｔｈｙｌｅｎｅ  Ｖｉｎｙｌ  Ａｃｅｔａｔｅ  Ｃｏｐｏｌｙｍｅｒ  Ｒｅｓｉｎ、ＥＶＡ）発泡体であり、そのうちの醋酸エチレン（Ｖｉｎｙｌ  Ａｃｅｔａｔｅ、ＶＡ）の含有量が１０％〜２０％であると、ＥＶＡが硬性の性質となり、本実施例の第２の発泡体Ｌ２及び第４の発泡体Ｌ４の硬度範囲が６０度から９０度（ショア硬度Ａタイプ）にあることで、第２の発泡体Ｌ２及び第４の発泡体Ｌ４は、それぞれ高硬度のＥＶＡ発泡体である。なお、第３の発泡体Ｌ３がＥＶＡ発泡体であってもよく、そのうちの醋酸エチレン（Ｖｉｎｙｌ  Ａｃｅｔａｔｅ、ＶＡ）の含有量が３０％を超えると、ＥＶＡが弾性の性質となるため、本実施例の第３の発泡体Ｌ３は高弾力のＥＶＡ発泡体である。また、第３の発泡体Ｌ３が高温発泡成型の記憶型の弾性ラテックスであってもよい。本実施例の第３の発泡体Ｌ３が第２の発泡体Ｌ２と第３の発泡体Ｌ４との間にあり、第２の発泡体Ｌ２及び第４の発泡体Ｌ４の硬度が第３の発泡体Ｌ３の硬度よりも大きいことで、第２の発泡体Ｌ２、第３の発泡体Ｌ３、及び第４の発泡体Ｌ４が順に積層して設置され、サンドイッチ構造の振動吸収サブレイヤ２０が構成される。前記第２、第３、第４の発泡体Ｌ２、Ｌ３、Ｌ４の組成構造により、第２の発泡体Ｌ２は床の硬度を模擬することができ、第３の発泡体Ｌ３が弾性を有し、振動吸収することが可能であり、第４の発泡体Ｌ４が衝撃吸収能力を有し、振動吸収・吸音することが可能であり、パッド本体１００全体の振動吸収・軽減、及び吸音・遮音の効果を向上させるようにする。
【００１２】
また、本実施例の第２の発泡体Ｌ２に複数の貫通孔Ｌ２１が形成されており、第４の発泡体Ｌ４にも複数の貫通孔Ｌ４１が形成されており、これらの貫通孔Ｌ２１、Ｌ４１により、通気性を向上できる。
【００１３】
緩衝層３は、第５の発泡体Ｌ５と、第５の発泡体Ｌ５の底部に固定され互いに離間される複数の緩衝ユニットＭ１で構成される。本実施例では、第５の発泡体Ｌ５が高硬度のＥＶＡ発泡体であり、各緩衝ユニットＭ１は外輪郭がすべて突出形状の立体構造であり、その厚さが約１０〜２０ｍｍであり、各緩衝ユニットＭ１が密閉式の構造であり、その内部にガスが充填されており、ガスを余分に充填する必要がない。本実施例では、各緩衝ユニットＭ１は緩衝エアバッグであり、その外輪郭が略球形状となり、これらの緩衝ユニットＭ１が共同で曲面形状の立体構造、あるいは凹凸形状の立体構造を構成している。前記第５の発泡体Ｌ５及びこれらの緩衝ユニットＭ１の組成構造により、第５の発泡体Ｌ５が上からの衝撃を受ける場合、これらの緩衝ユニットＭ１を押圧して、それらを一旦圧縮して変形させ、衝撃力の分散・緩衝及び衝撃音の低減が図れる。それにより、これらの緩衝ユニットＭ１は緩衝・騒音低減をして、パッド本体１００全体の緩衝能力及び吸音能力を大幅に向上できる。
（第２の実施例）
【００１４】
図２を参照すること。図２は本考案の振動吸収遮音パッドの構造に係る第２の実施例の概略断面図である。
【００１５】
本実施例の振動吸収遮音パッドの構造は、湾曲可能な構造であり、また複合多層構造であるパッド本体２００を備える。本実施例の振動吸収遮音パッドの構造は前記実施例の振動吸収遮音パッドの構造とほぼ同じであるが、本実施例と前記実施例との差異は、主として、各緩衝ユニットＭ２は外輪郭がすべて突出形状の立体構造であり、さらには、すべて準台形の柱状構造であることにある。
【００１６】
緩衝ユニットの外輪郭の形状は図１から図８に示す形状に限らず、楕円形の柱形状、多角柱形状、自由曲面状であってもよい。
（第３の実施例）
【００１７】
図３を参照すること。図３は本考案の振動吸収遮音パッドの構造に係る第３の実施例の概略断面図である。
【００１８】
本実施例の振動吸収遮音パッドの構造は、湾曲可能な構造であり、また複合多層構造であるパッド本体３００を備える。本実施例の振動吸収遮音パッドの構造は第１の実施例の振動吸収遮音パッドの構造とほぼ同じであるが、本実施例と前記実施例との差異は、主として、これらの緩衝ユニットＭ３は相互に連通され、連通路Ｍ３１により連通されることにある。さらには、これらの緩衝ユニットＭ３及び連通路Ｍ３１は、また、ガスＡが流し込まれる吸気通路Ｍ３２と連通され、ガスＡを流し込むことにより、これらの緩衝ユニットＭ３の内部において所定の空気圧が保持され得る。
（第４の実施例）
【００１９】
図４を参照すること。図４は本考案の振動吸収遮音パッドの構造に係る第４の実施例の概略断面図である。
【００２０】
本実施例の振動吸収遮音パッドの構造は、湾曲可能な構造であり、また複合多層構造であるパッド本体４００を備える。本実施例の振動吸収遮音パッドの構造は第１の実施例の振動吸収遮音パッドの構造とほぼ同じであるが、本実施例と第１の実施例との差異は、主として、第５の発泡体Ｌ５とこれらの緩衝ユニットＭ４が厚さ３０ｍｍのＥＶＡ発泡材で一体的に加熱プレス成形されることにある。従って、これらの緩衝ユニットＭ４は第５の発泡体Ｌ５の底部に一体的に成形され、第５の発泡体Ｌ５と一体式構造となる。
（第５の実施例）
【００２１】
図５を参照すること。図５は本考案の振動吸収遮音パッドの構造に係る第５の実施例の概略断面図である。
【００２２】
本実施例の振動吸収遮音パッドの構造は、湾曲可能な構造であり、また複合多層構造であるパッド本体５００を備える。本実施例の振動吸収遮音パッドの構造は第１の実施例の振動吸収遮音パッドの構造とほぼ同じであるが、本実施例と第１の実施例との差異は、主として、これらの緩衝ユニットＭ５は外輪郭がそれぞれ半球形状であり、熱可塑性ポリウレタン樹脂（Ｔｈｅｒｍｏｐｌａｓｔｉｃ  Ｐｏｌｙｕｒｅｔｈａｎｅ、ＴＰＵ）又はゴムから加熱プレス成形され、高温で第５の発泡体Ｌ５の底部に粘着されることができることにある。そして、これらの緩衝ユニットＭ５の内部においてガスを流し込むこと、又は充填物を詰めることができる。本実施例では、これらの緩衝ユニットＭ５の内部には、それぞれ、例えば発泡綿又はシリカのような充填物Ｍ５１が詰められている。
（第６の実施例）
【００２３】
図６を参照すること。図６は本考案の振動吸収遮音パッドの構造に係る第６の実施例の概略断面図である。
【００２４】
本実施例の振動吸収遮音パッドの構造は、湾曲可能な構造であり、また複合多層構造であるパッド本体６００を備える。本実施例の振動吸収遮音パッドの構造は第１の実施例の振動吸収遮音パッドの構造とほぼ同じであるが、本実施例と第１の実施例との差異は、主として、振動吸収層２は、上から下へ順に高硬度の第６の発泡体Ｌ６、高弾力の第７の発泡体Ｌ７、及び高硬度の第８の発泡体Ｌ８で構成される別の振動吸収サブレイヤ２１を更に含むことにある。そして、本実施例の第７の発泡体Ｌ７は第６の発泡体Ｌ６と第８の発泡体Ｌ８との間にあり、第６の発泡体Ｌ６、第７の発泡体Ｌ７、及び第８の発泡体Ｌ８が順に積層して設置されることで、別のサンドイッチ構造の振動吸収サブレイヤ２１が構成される。なお、振動吸収サブレイヤ２０が、また、振動吸収サブレイヤ２１に積層して設置されることで、振動吸収サブレイヤ２０と振動吸収サブレイヤ２１とが互いに積層して設置されるようにする。
【００２５】
本実施例では、振動吸収層２が、振動吸収サブレイヤ２０と別の振動吸収サブレイヤ２１を含むことのみが示されているが、他の変形実施例では、実際の設計の必要により、より多くの振動吸収サブレイヤが含まれており、これらの振動吸収サブレイヤが互いに積層して設置されることが可能である。
（第７の実施例）
【００２６】
図７を参照すること。図７は本考案の振動吸収遮音パッドの構造に係る第７の実施例の概略断面図である。
【００２７】
本実施例の振動吸収遮音パッドの構造は、湾曲可能な構造であり、また複合多層構造であるパッド本体７００を備える。本実施例の振動吸収遮音パッドの構造は第１の実施例の振動吸収遮音パッドの構造とほぼ同じであるが、本実施例と第１の実施例との差異は、主として、パッド本体７００は、これらの緩衝ユニットに当接され、低硬度の第９の発泡体Ｌ９で構成される底部吸音層４を更に備えることにあり、第９の発泡体Ｌ９は第１の発泡体Ｌ１の材質と同じであり、吸音層１と共同で振動吸収層２及び緩衝層３に被覆される着脱可能な袋体構造をさらに構成できることで、パッド本体７００が全体的な外観を有し、パッド本体７００底部の緩衝効果を向上できる。他の変形実施例では、底部吸音層４は緩衝層３の底部に位置し、吸音繊維布又はサンドイッチメッシュ布で構成される。
（第８の実施例）
【００２８】
図８を参照すること。図８は本考案の振動吸収遮音パッドの構造に係る第８の実施例の概略断面図である。
【００２９】
本実施例の振動吸収遮音パッドの構造は、湾曲可能な構造であり、また複合多層構造であるパッド本体８００を備える。本実施例の振動吸収遮音パッドの構造は第７の実施例の振動吸収遮音パッドの構造とほぼ同じであるが、本実施例と第７の実施例との差異は、主として、パッド本体８００は、底部吸音層４の底部に位置し、滑り止めのゴム又は発泡材で構成され、パッド本体８００全体の滑り止め効果を向上させる保護層５を更に備えることにある。
（第９の実施例）
【００３０】
図９Ａ及び９Ｂを参照すること。図９Ａ及び９Ｂは本考案の振動吸収遮音パッドの構造に係る第９の実施例の概略図である。
【００３１】
本実施例の振動吸収遮音パッドの構造は、湾曲可能な構造であり、また複合多層構造であるパッド本体９００を備える。図９Ａに示すように、本考案の振動吸収遮音パッドの構造におけるパッド本体９００は、一体式の構造であってもよい。図９Ｂに示すように、本考案の振動吸収遮音パッドの構造におけるパッド本体９００は、収容機能、占有空間低減の機能を提供するように、収容時に一巻きで収容される態様となってもよい。
（第１０の実施例）
【００３２】
図１０Ａ及び１０Ｂを参照すること。図１０Ａ及び１０Ｂは本考案の振動吸収遮音パッドの構造に係る第１０の実施例の概略図である。
【００３３】
本実施例の振動吸収遮音パッドの構造は、それぞれ湾曲可能な構造であり、またそれぞれ複合多層構造である複数のパッド本体１０００を備える。図１０Ａに示すように、本考案の振動吸収遮音パッドの構造におけるこれらのパッド本体１０００が分離可能に相互に組み付けられており、必要に応じてより多くのパッド本体１０００が組み付けられて、より大きな振動吸収遮音パッドの構造へと拡大されることもできる。詳細には、各パッド本体１０００の二つの側縁に第１の組付け部１００１がそれぞれ設けられており、ほかの二つの側縁に第２の組付け部１００２がそれぞれ設けられており、第１の組付け部１００１は例えば二つの組付けバンプであってもよく、第２の組付け部１００２は例えば二つの組付け凹溝であってもよい。図１０Ｂに示すように、本考案の振動吸収遮音パッドの構造におけるこれらのパッド本体１０００は、収容機能、占有空間低減の機能を提供するように、収容時に互いに分離して積層される態様となってもいい。
【００３４】
以上の通り、本考案に係る実施例が提供する振動吸収遮音パッドの構造は、吸音層、振動吸収層、及び緩衝層が積層して設置されることにより、吸音、振動吸収、及び緩衝の効果を達成する。そして、吸音層が軟質の発泡材から構成されても良いことにより、足裏でパッド本体の表層に衝撃を与える時に発生した騒音を軽減させる。また、振動吸収層は、三つの発泡体により上から下へ順に積層して設置されてもよい振動吸収サブレイヤを含み、二つの高硬度の発泡体で高弾性の発泡体を挟んでサンドイッチ構造を形成できることにより、振動吸収層が床の硬度を模擬して、足裏で踏み込まれる場合に柔らかすぎる気がしないと同時に、振動軽減と衝撃音低減の効果を達成することができる。また、振動吸収層は別の振動吸収サブレイヤが更に含まれ、又はより多くの振動吸収サブレイヤが繰り返して積層されることができることにより、衝撃力を層ごとに吸収し均一に分散させ、振動軽減と衝撃音低減の効果を達成する。なお、緩衝層が高硬度の発泡体と前記発泡体の底部に固定され互いに離間される複数の緩衝ユニットから構成され得ることにより、前記発泡体が上からの衝撃を受ける場合、これらの緩衝ユニットを押圧して、それらを一旦圧縮して変形させ、衝撃力を緩衝して分散させることができ、これらの緩衝ユニットが球状、半球状であってもよく、共同で曲面形状の立体構造を構成し、底層又は地面と接する面積を低減できる。そして、パッド本体は、吸音層と共同で着脱可能な袋体に形成される底部吸音層を更に備えることができることにより、パッド本体が全体的な外観を有し、汚損時に交換しやすくなり、更に、パッド本体底部の緩衝効果を向上できる。また、パッド本体は、滑り止めのゴム又は発泡材料で構成される保護層を更に備えることができることにより、パッド本体全体の滑り止め効果を向上できる。
【００３５】
ただし、以上に記載のことは本考案の好ましい実施可能な実施例に過ぎず、本考案の実用新案登録請求の範囲を限定するものではなく、本考案の実用新案登録請求の範囲に基づき為された均等な変形と修飾は、いずれも本考案の範囲に属するものとする。
【符号の説明】
【００３６】
１００、２００、３００、４００、５００、６００、７００、８００、９００、１０００    パッド本体
１    吸音層
２    振動吸収層
２０、２１    振動吸収サブレイヤ
３    緩衝層
４    底部吸音層
５    保護層
Ｌ１    第１の発泡体
Ｌ２    第２の発泡体
Ｌ２１    貫通孔
Ｌ３    第３の発泡体
Ｌ４    第４の発泡体
Ｌ４１    貫通孔
Ｌ５    第５の発泡体
Ｌ６    第６の発泡体
Ｌ７    第７の発泡体
Ｌ８    第８の発泡体
Ｌ９    第９の発泡体
Ｍ１    緩衝ユニット
Ｍ２    緩衝ユニット
Ｍ３    緩衝ユニット
Ｍ３１    連通路
Ｍ３２    吸気通路
Ｍ４    緩衝ユニット
Ｍ５    緩衝ユニット
Ｍ５１    充填物
Ａ    ガス
１００１    第１の組付け部
１００２    第２の組付け部
【図１】
0003202606.tif 000003
【図２】
0003202606.tif 000004
【図３】
0003202606.tif 000005
【図４】
0003202606.tif 000006
【図５】
0003202606.tif 000007
【図６】
0003202606.tif 000008
【図７】
0003202606.tif 000009
【図８】
0003202606.tif 000010
【図９Ａ】
0003202606.tif 000011
【図９Ｂ】
0003202606.tif 000012
【図１０Ａ】
0003202606.tif 000013
【図１０Ｂ】
0003202606.tif 000014